(57)【要約】  本発明はタッチ表示パネル及びその駆動方法並びにタッチ表示装置を開示している。このタッチ表示パネルは、第１の方向に配列される若干の第１の電極群と第２の方向に配列される若干の第２の電極群とを含み、第１の電極群は、第２の方向に配列される若干の第１の電極を含み、第２の電極群は、隣り合うと共に第２の方向に配列される若干の第２の電極サブ群を含み、第２の電極サブ群は、第１の方向に配列される若干の第２の電極を含み、第１の電極と第２の電極とは異なる層に位置し、第２の電極は、第１の電極の層上への投影が第１の電極に重ならないと共に、第１の方向と第２の方向のいずれの方向においても第１の電極と間隔をおいて設置される。本発明の技術案は、実際のタッチ領域近傍に位置する領域がタッチ領域と誤って識別されることを効果的に防止することができ、タッチ識別精度を向上させることができる。【選択図】図３
2018514821.tif 000002
【特許請求の範囲】
【請求項１】
タッチ表示パネルであって、
第１の方向に配列される若干の第１の電極群と第２の方向に配列される若干の第２の電極群とを含み、
前記第１の電極群は、第２の方向に配列される若干の第１の電極を含み、前記第２の電極群は、隣り合うと共に第２の方向に配列される若干の第２の電極サブ群を含み、前記第２の電極サブ群は、第１の方向に配列される若干の第２の電極を含み、
前記第１の電極と前記第２の電極とは異なる層に位置し、前記第２の電極は、前記第１の電極の層上への投影が前記第１の電極に重ならないと共に、第１の方向と第２の方向のいずれの方向においても前記第１の電極と間隔をおいて設置され、
前記第１の電極には、前記タッチ表示パネルの周辺領域に接続する第１のリード線が設置され、同じ第１の電極群に位置する相応の第１の電極に対応する全ての前記第１のリード線は前記周辺領域において互いに電気接続し、
同じ第２の電極群に位置する全ての第２の電極は互いに電気接続する、タッチ表示パネル。
【請求項２】
前記第２の電極群には、前記タッチ表示パネルの周辺領域に接続する第２のリード線が設置され、
前記第２のリード線は、相応の第２の電極群における、前記タッチ表示パネルの周辺領域に最も近い一つの第２の電極に電気接続する、請求項１に記載のタッチ表示パネル。
【請求項３】
それぞれの前記第２の電極群における前記第２の電極サブ群の個数が２個である、請求項１に記載のタッチ表示パネル。
【請求項４】
前記タッチ表示パネルは、アレイ基板とアレイ基板に対向設置される対向基板とを含み、前記第１の電極は前記アレイ基板上に位置し、かつ前記第２の電極は前記対向基板上に位置する、請求項１〜４のいずれか１項に記載のタッチ表示パネル。
【請求項５】
前記アレイ基板は、第１の下地基板と前記第１の下地基板上に位置する若干の共通電極とを含み、
前記第１の電極と前記共通電極は同じ層に設置され、かつ前記第１の電極と前記共通電極は第１の方向と第２の方向のいずれの方向においても間隔をおいて設置される、請求項４に記載のタッチ表示パネル。
【請求項６】
前記第１の電極と前記共通電極とは形状が同じである、請求項５に記載のタッチ表示パネル。
【請求項７】
前記対向基板は、第２の下地基板と第２の下地基板上に位置する遮光層とを含み、
前記第２の電極の材料は金属材料であり、かつ前記第２の電極は前記遮光層の上方に位置する、請求項４に記載のタッチ表示パネル。
【請求項８】
前記第２の電極の材料は透明導電材料である、請求項４に記載のタッチ表示パネル。
【請求項９】
上記請求項１〜８のいずれか１項に記載のタッチ表示パネルを含むタッチ表示装置。
【請求項１０】
タッチ表示パネルの駆動方法であって、
前記タッチ表示パネルとして上記請求項１〜８のいずれか１項に記載のタッチ表示パネルを用い、かつ第２の電極は第２のリード線を介して前記周辺領域に接続し、
前記第１の電極がタッチ走査電極であり、かつ前記第２の電極がタッチ誘導電極である場合、前記タッチ表示パネルの駆動方法において、
タッチ段階では、前記第１の電極にタッチ走査信号を出力し、かつ前記第２の電極上のタッチ誘起信号を検出し、且つ、
前記第１の電極がタッチ誘導電極であり、かつ前記第２の電極がタッチ走査電極である場合、前記タッチ表示パネルの駆動方法において、
タッチ段階では、前記第２の電極にタッチ走査信号を出力し、かつ前記第１の電極上のタッチ誘起信号を検出する、タッチ表示パネルの駆動方法。
【請求項１１】
前記タッチ表示パネルが請求項５に記載のタッチ表示パネルである場合、前記タッチ表示パネルの駆動方法において、さらに、
表示段階では、前記第１の電極と前記共通電極に共通電圧信号を出力する、請求項１０に記載のタッチ表示パネルの駆動方法。
【発明の詳細な説明】
【技術分野】
【０００１】
本願は、２０１５年５月５日に出願された、出願番号が２０１５１０２２３６７１．９であって名称が「タッチ表示パネル及びその駆動方法並びにタッチ表示装置」である中国特許出願に基づき優先権を主張し、その全ての内容をここに援用する。
【０００２】
本発明は表示技術分野に関し、特に、タッチ表示パネル及びその駆動方法並びにタッチ表示装置に関する。
【背景技術】
【０００３】
インセル型タッチ（Ｉｎ-ｃｅｌｌ Ｔｏｕｃｈ）技術は、タッチ素子を表示スクリーン内部に統合し、表示スクリーンそのものにタッチ機能を持たせる技術である。インセル型タッチ表示装置は、タッチ表示装置の標準製造プロセスにおいてタッチ素子の製造を完成でき、貼り合せ及び位置合わせの問題がなく、製品がより軽薄になり、枠を必要とせず、全平面設計を実現し得るなどの多くのメリットを有し、現在の本分野における研究の一注目点である。
【０００４】
従来のインセル型タッチ表示装置において、一般的には、アレイ基板上の共通電極層を時分割多重化することによりインセル型タッチ機能を実現する。図１は従来技術におけるインセル型タッチ表示パネルの断面模式図であり、図２は図１に示すタッチ表示パネル中のタッチ走査電極及びタッチ誘導電極の平面図であり、図１と図２に示すように、このタッチ表示パネルは、対向設置されるアレイ基板１とカラー膜基板２を含み、アレイ基板１は、第１の下地基板３と第１の下地基板上に位置する共通電極層とを含み、共通電極層は若干のブロック状タッチ誘導電極４と、行方向に延伸する若干の条状共通電極５とに区画され、タッチ誘導電極４と条状共通電極５は列方向に間隔をおいて設置される。図２において、それぞれのタッチ誘導電極４はいずれも対応の１本の横リード線９（横リード線９はタッチ誘導電極に一一対応し、横リード線９はビアホール（図示せず）を介してタッチ誘導電極に接続する）を介して前記アレイ基板の周辺領域に接続すると共に、同じ列に位置する全てのタッチ誘導電極４に対応する全ての横リード線９は周辺領域において電気接続することで、タッチ誘起信号ＲＸ（図中、ＲＸ１、ＲＸ２、ＲＸ３、ＲＸ４のみを例示的に示している）を受信する。カラー膜基板２は、第２の下地基板６と第２の下地基板６上に位置するブラックマトリックス７とを含み、ブラックマトリックス７は画素領域と遮光領域とを限定し、遮光領域内に長尺状のタッチ走査電極８が設置される。このタッチ走査電極８は長尺状の共通電極５に対向設置される。
【０００５】
タッチするとき、カラー膜基板２上のタッチ走査電極８にタッチ走査信号ＴＸ（図中、ＴＸ１、ＴＸ２のみを例示的に示している）を逐行に出力し、そして相応のタッチ誘導電極４上のタッチ誘起信号ＲＸを横リード線９によって受信し、指によるタッチ前後のタッチ走査電極８とタッチ誘導電極４との容量変化量を算出して予設閾値と比較することにより、指によるタッチの存否を判断し、タッチ識別を実現する。
【０００６】
しかしながら、従来のこのようなタッチ表示パネルは、タッチ識別を行うときに以下のような２種の干渉量を有する。その一、指の接触箇所の面積が大きく、指の縁部が現在のタッチ誘導電極に隣り合うほかのタッチ誘導電極に接触することがあり、指縁部によるタッチ干渉が発生する。その二、タッチ誘導電極（第１列を除く）に接続する横リード線はほかのタッチ誘導電極を通るため、タッチ誘起信号を携帯した横リード線はそれが通るタッチ誘導電極に一定のクロストークをもたらす。
【０００７】
指で図２におけるＡ領域をタッチする場合、即ち第１行第３列に位置するタッチ誘導電極４の位置がタッチされる場合を例とする。この場合、第１行第２列に位置するタッチ誘導電極４の位置は指縁部によってタッチされ、指縁部によるタッチ干渉量が発生するとともに、第１行第３列に位置するタッチ誘導電極４に接続する横リード線は第１行第２列に位置するタッチ誘導電極４を通るため、この横リード線はタッチ誘起信号ＲＸ３を伝達するとき、第１行第２列に位置するタッチ誘導電極４上のタッチ誘起信号ＲＸ２に一定のクロストークをもたらす。上記２種の干渉量は第１行第２列に位置するタッチ誘導電極に同時に発生するため、このタッチ誘導電極４上の干渉量が大きく、第１行第２列に位置するタッチ誘導電極４が対応する容量変化量が大きく、したがって、第１行第２列に位置するタッチ誘導電極４が対応する領域はタッチ領域と誤って識別される。
【０００８】
上記内容から分かる通り、従来技術におけるタッチ表示パネルでは、タッチ識別するとき、指縁部によるタッチで発生する干渉量と、横リード線のクロストークで発生する干渉量とは、実際のタッチ領域近傍に位置するタッチ誘導電極に同時に作用するため、実際のタッチ領域近傍に位置するタッチ誘導電極上の干渉量が大きく、したがって、この実際のタッチ領域近傍に位置する領域はタッチ領域と誤って識別され、さらに、このタッチ表示パネルのタッチ識別精度が低い問題を招来する。
【発明の概要】
【０００９】
本発明はタッチ表示パネル及びその駆動方法並びにタッチ表示装置を提供し、実際のタッチ領域近傍に位置する領域がタッチ領域と誤って識別されることを効果的に防止することができ、タッチ表示パネルの精度を効果的に向上させることができる。
【００１０】
上記目的を実現するために、本発明によるタッチ表示パネルは、第１の方向に配列される若干の第１の電極群と第２の方向に配列される若干の第２の電極群とを含み、前記第１の電極群は、第２の方向に配列される若干の第１の電極を含み、前記第２の電極群は、隣り合うと共に第２の方向に配列される若干の第２の電極サブ群を含み、前記第２の電極サブ群は、第１の方向に配列される若干の第２の電極を含む；
前記第１の電極と前記第２の電極とは異なる層に位置し、前記第２の電極は、前記第１の電極の層上への投影が前記第１の電極に重ならないと共に、第１の方向と第２の方向のいずれの方向においても前記第１の電極と間隔をおいて設置される；
前記第１の電極には、前記タッチ表示パネルの周辺領域に接続する第１のリード線が設置され、同じ第１の電極群に位置する相応の第１の電極に対応する全ての前記第１のリード線は前記周辺領域において互いに電気接続する；
同じ第２の電極群に位置する全ての第２の電極は互いに電気接続する。
【００１１】
選択的には、前記第２の電極群には、前記タッチ表示パネルの周辺領域に接続する第２のリード線が設置される；
前記第２のリード線は、相応の第２の電極群における、前記タッチ表示パネルの周辺領域に最も近い一つの第２の電極に電気接続する。
【００１２】
選択的には、それぞれの前記第２の電極群における前記第２の電極サブ群の個数が２個である。
【００１３】
選択的には、前記タッチ表示パネルは、アレイ基板とアレイ基板に対向設置される対向基板とを含み、前記第１の電極は前記アレイ基板上に位置し、前記第２の電極は前記対向基板上に位置する。
【００１４】
選択的には、前記アレイ基板は、第１の下地基板と前記第１の下地基板上に位置する若干の共通電極とを含む；
前記第１の電極と前記共通電極は同じ層に設置され、前記第１の電極と前記共通電極は第１の方向と第２の方向のいずれの方向においても間隔をおいて設置される。
【００１５】
選択的には、前記第１の電極と前記共通電極とは形状が同じである。
【００１６】
選択的には、前記対向基板は、第２の下地基板と第２の下地基板上に位置する遮光層とを含む；
前記第２の電極の材料は金属材料であり、前記第２の電極は前記遮光層の上方に位置する。
【００１７】
選択的には、前記第２の電極の材料は透明導電材料である。
【００１８】
上記目的を実現するために、本発明はさらにタッチ表示パネルを含むタッチ表示装置を提供し、前記タッチ表示パネルとして上記タッチ表示パネルを用いる。
【００１９】
上記目的を実現するために、本発明はさらにタッチ表示パネルの駆動方法を提供し、前記タッチ表示パネルとして上記タッチ表示パネルを用い、かつ第２の電極は第２のリード線を介して前記周辺領域に接続する；
前記第１の電極がタッチ走査電極であり、かつ前記第２の電極がタッチ誘導電極である場合、前記タッチ表示パネルの駆動方法において、
タッチ段階では、前記第１の電極にタッチ走査信号を出力し、かつ前記第２の電極上のタッチ誘起信号を検出する；且つ、
前記第１の電極がタッチ誘導電極であり、かつ前記第２の電極がタッチ走査電極である場合、前記タッチ表示パネルの駆動方法において、
タッチ段階では、前記第２の電極にタッチ走査信号を出力し、かつ前記第１の電極上のタッチ誘起信号を検出する。
【００２０】
選択的には、前記タッチ表示パネルは、アレイ基板とアレイ基板に対向設置される対向基板とを含み、前記第１の電極は前記アレイ基板上に位置し、かつ前記第２の電極は前記対向基板上に位置する。前記アレイ基板は、第１の下地基板と前記第１の下地基板上に位置する若干の共通電極とを含み、前記第１の電極と前記共通電極は同じ層に設置され、かつ前記第１の電極と前記共通電極は第１の方向と第２の方向のいずれの方向においても間隔をおいて設置される。この場合、前記タッチ表示パネルの駆動方法において、さらに、表示段階では、前記第１の電極と前記共通電極に共通電圧信号を出力する。
【００２１】
本発明は以下の有益な効果を有する。
【００２２】
本発明はタッチ表示パネル及びその駆動方法並びにタッチ表示装置を提供している。このタッチ表示パネルは、第１の方向に配列される若干の第１の電極群と第２の方向に配列される若干の第２の電極群とを含み、第１の電極群は、第２の方向に配列される若干の第１の電極を含み、第２の電極群は、隣り合うと共に第２の方向に配列される若干の第２の電極サブ群を含み、第２の電極サブ群は、第１の方向に配列される若干の第２の電極を含み、第１の電極と第２の電極とは異なる層に位置し、第２の電極は、第１の電極の層上への投影が第１の電極に重ならないと共に、第１の方向と第２の方向のいずれの方向においても第１の電極と間隔をおいて設置される。本発明の技術案により、タッチするとき、実際のタッチ領域近傍に位置する第１の電極は指縁部によるタッチ干渉とリード線クロストークの干渉を同時に受けることはない。即ち、実際のタッチ領域近傍に位置する第１の電極が受ける干渉は小さい。したがって、実際のタッチ領域近傍に位置する領域はタッチ領域と誤って識別されることはない。したがって、本発明によるタッチ表示パネルのタッチ識別精度が向上する。
【図面の簡単な説明】
【００２３】
【図１】図１は従来技術におけるインセル型タッチ表示パネルの断面模式図である。
【図２】図２は図１に示すタッチ表示パネル中のタッチ走査電極及びタッチ誘導電極の平面図である。
【図３】図３は本発明の第１の実施例によるタッチ表示パネルの平面図である。
【図４】図４は図３における第１の電極の分布模式図である。
【図５】図５は図３における第２の電極の分布模式図である。
【図６】図６は本発明の第１の実施例におけるアレイ基板の平面図である。
【図７】図７は本発明の第１の実施例における対向基板の平面図である。
【図８】図８は本発明の第３の実施例による１種のタッチ表示パネルの駆動方法のフローチャートである。
【図９】図９は本発明の第３の実施例によるさらなる１種のタッチ表示パネルの駆動方法のフローチャートである。
【発明を実施するための最良の形態】
【００２４】
当業者に本発明の技術案をよりよく理解させるために、以下、図面を結合しながら本発明によるタッチ表示パネル及びその駆動方法並びにタッチ表示装置を詳しく説明する。
【００２５】
図３は本発明の第１の実施例によるタッチ表示パネルの平面図であり、図４は図３における第１の電極の分布模式図であり、図５は図３における第２の電極の分布模式図である。図３〜図５に示すように、このタッチ表示パネルは、若干の第１の電極群１８と若干の第２の電極群１９とを含み、全ての第１の電極群１８は第１の方向に配列され、全ての第２の電極群１９は第２の方向に配列され、第１の電極群１８は第２の方向に配列される若干の第１の電極１１を含み、第２の電極群１９は、隣り合うとともに第２の方向に配列される若干の第２の電極サブ群２０を含み、第２の電極サブ群２０は第１の方向に配列される若干の第２の電極１５を含む。
【００２６】
そのうち、第１の電極１１と第２の電極１５とは異なる層に位置し、第２の電極１５は、第１の電極１１の層上への投影が第１の電極１１に重ならないと共に、第１の方向と第２の方向のいずれの方向においても第１の電極１１と間隔をおいて設置される。第１の電極１１には、タッチ表示パネルの周辺領域に接続する第１のリード線１３が設置され、同じ第１の電極群１８に位置する全ての第１の電極１１に対応する全ての第１のリード線１３はタッチ表示パネルの周辺領域において互いに電気接続し、第２の電極群１９における全ての第２の電極１５は互いに電気接続する。
【００２７】
本実施例において、第１の電極１１と第２の電極１５のうちの一方はタッチ走査電極とされ、他方はタッチ誘導電極とされる。
【００２８】
当業者に本発明の技術案をよりよく理解させるために、本実施例において、第１の電極１１がタッチ誘導電極であり、第２の電極１５がタッチ走査電極であり、第１の方向が行方向であり、第２の方向が列方向である場合を例として説明する。この場合、それぞれの第２の電極群は相応のタッチ走査信号ＴＸ（図中、ＴＸ１、ＴＸ２のみを例示的に示している）を発生させることができ、それぞれの第２の電極群は相応のタッチ誘起信号ＲＸ（図中、ＲＸ１、ＲＸ２、ＲＸ３、ＲＸ４のみを例示的に示している）を発生させることができる。
【００２９】
なお、当業者であれば分かるとおり、上記設置は例示的な作用のみを有し、本願の技術案を制限するためのものではない。
【００３０】
本実施例において、選択的には、相応の導電バー１６を設置することにより、同じ第２の電極群１９における全ての第２の電極１５を互いに電気接続させるが、この導電バー１６は第２の電極１５と同じ層に設置される。この場合、１つの第２の電極群１９に対応して、タッチ表示パネルの周辺領域に接続する第２のリード線１７を１本のみ設置すればよく、タッチ表示パネルの周辺リード線の数量を効果的に減少することができる。好ましくは、この第２のリード線１７は、対応の第２の電極群１９における、タッチ表示パネルの周辺領域に最も近い一つの第２の電極１５に電気接続する。この場合、第２のリード線１７の配線長さを効果的に短縮させることができる。
【００３１】
当業者であれば分かるとおり、この導電バー１６の設置は本願の技術案を制限するためのものではなく、本実施例において、さらにほかの方式により同じ第２の電極群１９における全ての第２の電極１５の電気接続を実現してもよい。
【００３２】
本実施例において、選択的には、第２の電極群における第２の電極サブ群の個数は２個であり、即ち隣り合う２行の第２の電極は同時に駆動されることができる。この場合、タッチ表示パネル上の各領域がいずれもタッチ識別を実現できることを保証しながら、このタッチ表示パネルのタッチ解像度の最大化を実現することができる。
【００３３】
引き続き図３を参照し、指がこのタッチ表示パネルをタッチする場合、実際のタッチ領域近傍の領域には、指縁部によるタッチ干渉及びリード線クロストーク干渉（第１のリード線はタッチ誘起信号を伝達するとき、それが通る領域における第１の電極とクロストークする）が依然として存在するが、実際のタッチ領域近傍に位置するいずれの第１の電極１１も上記２種の干渉を同時に受けることはない。
【００３４】
以下、指による実際のタッチ領域が図３におけるＢ領域である場合を例として説明し、即ち第１行第３列に位置する第１の電極１１の位置がタッチされる場合を例として説明する。この場合、Ｂ領域近傍の第１の電極１１は具体的に、第１行第１列、第２行第２列及び第２行第４列に位置する第１の電極１１である。
【００３５】
そのうち、第２行第２列及び第２行第４列に位置する第１の電極１１の位置が指縁部にタッチされるため、第２行第２列及び第２行第４列に位置する第１の電極１１は指縁部によるタッチ干渉を受ける。しかしながら、第１行第３列に位置する第１の電極１１が対応する第１のリード線は第２行第２列又は第２行第４列に位置する第１の電極１１の領域を通らないので、第２行第２列及び第２行第４列に位置する第１の電極１１はリード線クロストークの干渉を受けない。したがって、第２行第２列及び第２行第４列に位置する第１の電極１１が受ける干渉量は小さい。
【００３６】
これと同時に、第１行第３列に位置する第１の電極１１が対応する第１のリード線は第１行第１列に位置する第１の電極１１の領域を通るので、第１行第１列に位置する第１の電極１１はリード線クロストークの干渉を受ける。しかしながら、第１行第１列に位置する第１の電極１１と第１行第３列に位置する第１の電極１１との距離が大きい（両者間の距離は一つの第２の電極１２の幅より大きい）ため、第１行第１列に位置する第１の電極１１は指縁部によるタッチ干渉を受けない。したがって、第１行第１列に位置する第１の電極１１が受ける干渉量は小さい。
【００３７】
上記例示に基づいて分かるように、指で図３に示すタッチ表示パネル上の任意位置をタッチするとき、実際のタッチ領域近傍に位置する第１の電極１１は指縁部によるタッチ干渉とリード線クロストークの干渉を同時に受けることはない。即ち、実際のタッチ領域近傍に位置する第１の電極１１が受ける干渉は小さい。したがって、実際のタッチ領域近傍に位置する領域はタッチ領域と誤って識別されることはない。したがって、本実施例によるタッチ表示パネルのタッチ識別精度は向上する。
【００３８】
本実施例におけるより具体的な案として、このタッチ表示パネルは、アレイ基板とアレイ基板に対向設置される対向基板とを含み、第１の電極はアレイ基板上に位置し、第２の電極は対向基板上に位置する。
【００３９】
図６は本発明の第１の実施例におけるアレイ基板の平面図である。図６に示すように、さらに、アレイ基板は、第１の下地基板３と第１の下地基板３上に位置する若干の共通電極１２とを含み、第１の電極１１と共通電極１２は同じ層に設置され、第１の電極１１と共通電極１２は第１の方向と第２の方向のいずれの方向においても間隔をおいて設置される。この場合、第１の電極１１と共通電極１２は一回のパターニングプロセスにより同時に製造することができる。
【００４０】
なお、この案における第１の電極１１はタッチ段階においてタッチ電極として使用され、表示段階において共通電極として使用されることができる。具体的な案は後述する。
【００４１】
なお、図６において、いずれの共通電極１２上にも、アレイ基板の周辺領域に接続する１本の第３のリード線１４が設置され、かつアレイ基板上の全ての第３のリード線１４がアレイ基板の周辺領域において互いに電気接続することで、アレイ基板上の全ての共通電極１２が互いに電気接続することを実現する。この状況は例示的な作用のみを有する。当業者であれば分かるように、本実施例におけるアレイ基板上の全ての共通電極１２の電気接続を実現する手段は図３に示すものに限らず、本実施例はさらにほかの手段で全ての共通電極１２の電気接続を実現することができるが、ここではさらなる説明を省略する。
【００４２】
さらに選択的には、第１の電極と共通電極の形状が同じである。第１の電極１１と共通電極１２の形状が同じであるため、第１の電極１１と共通電極１２がアレイ基板において均一に分布することができ、タッチ表示パネルの表示效果の均一性が効果的に向上する。
【００４３】
図７は本発明の第１の実施例における対向基板の平面図である。図７に示すように、この対向基板は、第２の下地基板６と第２の下地基板６上に位置する遮光層（図示せず）とを含み、第２の電極１５の材料は金属材料であり、第２の電極１５は遮光層の上方に位置する。本実施例において、第２の電極１５の材料が金属材料（例えば、Ａｌ、Ｍｏ、Ｃｒ等）であるため、対向基板中の遮光層（図示せず）が第２の電極１５を完全に被覆することを保証する必要がある。なお、この第２の電極１５は具体的に金属網状構造であってもよい。
【００４４】
また、本実施例において、第２の電極１５の材料はさらに透明導電材料（例えば：ＩＴＯ）であってもよく、この場合、第２の電極１５は遮光層に被覆される必要がない。
【００４５】
本発明の第２の実施例はタッチ表示パネルを含むタッチ表示装置を提供し、このタッチ表示パネルとして上記第１の実施例におけるタッチ表示パネルを用いる。具体的な内容は上記第１の実施例における記載を参照することができ、ここでは繰り返さない。
【００４６】
本発明の第３の実施例はタッチ表示パネルの駆動方法を提供し、このタッチ表示パネルとして上記第１の実施例におけるタッチ表示パネルを用い、このタッチ表示パネルの具体的な構造は上記第１の実施例における記載を参照することができる。
【００４７】
図８は本発明の第３の実施例による１種のタッチ表示パネルの駆動方法のフローチャートである。図８に示すように、このタッチ表示パネル中の第１の電極がタッチ走査電極であり、第２の電極がタッチ誘導電極である場合、このタッチ表示パネルの駆動方法は以下のステップを含む。
【００４８】
ステップ１０１：第１の電極にタッチ走査信号を出力し、第２の電極上のタッチ誘起信号を検出する。
【００４９】
具体的には、まず第１のリード線を介して対応の第１の電極にタッチ走査信号を提供し、そして第２のリード線を介して第２の電極上のタッチ誘起信号を検出する。
【００５０】
選択的には、第１の電極とアレイ基板上の共通電極とが同じ層に設置され、かつ表示段階において共通電極として多重化される場合、この駆動方法はさらに以下のステップを含む。
【００５１】
ステップ１０２：第１の電極と共通電極に共通電圧信号を出力する。
【００５２】
なお、本実施例におけるステップ１０２はステップ１０１の前で実行されてもよい。表示パネルの実際動作中、このタッチ表示パネルは上記ステップ１０１とステップ１０２を１つの動作サイクルとし、かつ繰り返して実行することで連続表示とタッチ識別とを実現する。このタッチ表示パネルが上記駆動方法に基づいて画素表示及びタッチ識別を実現する原理について、ここでは繰り返さない。
【００５３】
図９は本発明の第３の実施例によるさらなる１種のタッチ表示パネルの駆動方法のフローチャートである。図９に示すように、このタッチ表示パネル中の第１の電極がタッチ誘導電極であり、第２の電極がタッチ走査電極である場合、このタッチ表示パネルの駆動方法は以下のステップを含む。
【００５４】
ステップ２０１：第２の電極にタッチ走査信号を出力し、第１の電極上のタッチ誘起信号を検出する。
【００５５】
具体的には、まず第２リード線を介して対応の第２の電極にタッチ走査信号を提供し、そして第１のリード線を介して第１の電極上のタッチ誘起信号を検出する。
【００５６】
選択的には、第１の電極とアレイ基板上の共通電極とが同じ層に設置され、かつ表示段階において共通電極として多重化される場合、この駆動方法はさらに以下のステップを含む。
【００５７】
ステップ２０２：第１の電極と共通電極に共通電圧信号を出力する。
【００５８】
なお、本実施例におけるステップ２０２はステップ２０１の前で実行されてもよい。表示パネルの実際動作中、このタッチ表示パネルは上記ステップ２０１とステップ２０２を１つの動作サイクルとし、かつ繰り返して実行することで連続表示とタッチ識別とを実現する。
【００５９】
上記実施形態は本発明の原理を説明するために用いられる例示的な実施形態であり、本発明はこれに限定されるものではない。当業者にとって、本発明の旨から離れない限り、さまざまな変形や改良を行うことができ、これら変形や改良も本発明の保護範囲に入る。
【図１】
2018514821.tif 000003
【図２】
2018514821.tif 000004
【図３】
2018514821.tif 000005
【図４】
2018514821.tif 000006
【図５】
2018514821.tif 000007
【図６】
2018514821.tif 000008
【図７】
2018514821.tif 000009
【図８】
2018514821.tif 000010
【図９】
2018514821.tif 000011
【国際調査報告】
2018514821.tif 000012
2018514821.tif 000013
2018514821.tif 000014
2018514821.tif 000015